(57)【特許請求の範囲】
【請求項１】
籾摺機と、精米機と、米選機と、米選機を通過した玄米を貯留する玄米貯留タンクと、精米機を通過した精白米を貯留する精白米タンクを設け、
籾摺機で籾摺処理された玄米を米選機又は精米機に案内するための第一切換弁と、精米機で精米処理された精白米を米選機又は精白米貯留タンクに案内するための第二切換弁と、米選機で米選処理された穀物を精白米貯留タンク又は玄米貯留タンクに案内するための第三切換弁と、玄米貯留タンクの排出側には玄米を精米機又は玄米出荷部へ案内する第四切換弁を設け、
籾を精白米にして出荷する籾摺精米工程を行う籾摺精米スイッチと、
籾を籾摺処理して玄米貯留タンクに玄米保管又は玄米貯留タンクから玄米出荷する籾摺米選工程を行う籾摺米選スイッチと、
玄米貯留タンクに保管した玄米を精米して出荷する玄米精米工程を行う玄米精米スイッチを設け、
籾摺精米スイッチと籾摺米選スイッチと玄米精米スイッチの入切情報により、籾摺機、精米機、米選機、及び第一切換弁から第四切換弁の切換えを駆動制御する制御部を設け、
籾摺精米工程時には、籾摺機で籾摺りされた玄米を精米機に案内するよう第一切換弁を精米機側に切換えると共に、精米機で精米処理された精白米を米選機に案内するよう第二切換弁を米選機側に切換え、さらに、米選機で米選処理された精白米を精白米タンクに案内するよう第三切換弁を精白米タンク側に切換えるよう制御し、
籾摺米選工程時には、籾摺機で籾摺りされた玄米を米選機に案内するよう第一切換弁を米選機側に切換えると共に、米選機で米選処理された玄米を玄米貯留タンクへ案内するよう第三切換弁を玄米貯留タンク側に切換えるよう制御し、
玄米精米工程時には、玄米を精米機に案内するよう第四切換弁を精米機側に切換え、精米機で精米処理された精白米を精白米貯留タンクに案内するよう第三切換弁を精白米貯留タンク側に切換えるよう制御することを特徴とする穀物調製設備。
【請求項２】
籾摺機には籾と玄米とを選別する選別装置を設け、該選別装置には取り出す玄米の量を調節する籾玄米仕切板を設け、籾玄米仕切板は米選機の計量機で計量した計量状態に応じて玄米の取り出し量を調節することを特徴とする請求項１記載の穀物調製設備。
【発明の詳細な説明】
【技術分野】
【０００１】
本発明は、収穫した籾を玄米又は精白米に調製する穀物調製設備に関する。
【背景技術】
【０００２】
特許文献１には、籾摺部、風力選別部、粒径選別部、石抜選別部、精米部、砕米選別部及び色彩選別部を相互に隣接させて上下左右前後に配置した状態で１つの機枠に設置すると共に、前記籾摺部、風力選別部、粒径選別部、石抜選別部、精米部、砕米選別部及び色彩選別部の間の３つ以上を自然流下式の穀物搬送樋で連結し、かつ、前記機枠をカバーで覆って一体化したことを特徴とする穀物調製装置について開示されている。また、この特許文献１には精米部の前工程に玄米を精米部と色彩選別部とに切り換えて搬送する切換部を設けていることが記載されている。            
【先行技術文献】
【特許文献】
【０００３】
【特許文献１】特開２００３−２０００６６号公報
【発明の概要】
【発明が解決しようとする課題】
【０００４】
特許文献１においては、運転スイッチと切換部のスイッチとが別になっており、誤操作するおそれがある。
本発明は、玄米出荷及び精白米出荷を簡単な操作で行うことを課題とする。また、玄米を一時保管して精白米出荷を行うことを課題とする。
【課題を解決するための手段】
【０００５】
本発明はかかる技術的課題を解決するために次のような技術的手段を講じる。
請求項１記載の発明は、籾摺機と、精米機と、米選機と、米選機を通過した玄米を貯留する玄米貯留タンクと、精米機を通過した精白米を貯留する精白米タンクを設け、
籾摺機で籾摺処理された玄米を米選機又は精米機に案内するための第一切換弁と、精米機で精米処理された精白米を米選機又は精白米貯留タンクに案内するための第二切換弁と、米選機で米選処理された穀物を精白米貯留タンク又は玄米貯留タンクに案内するための第三切換弁と、玄米貯留タンクの排出側には玄米を精米機又は玄米出荷部へ案内する第四切換弁を設け、
籾を精白米にして出荷する籾摺精米工程を行う籾摺精米スイッチと、
籾を籾摺処理して玄米貯留タンクに玄米保管又は玄米貯留タンクから玄米出荷する籾摺米選工程を行う籾摺米選スイッチと、
玄米貯留タンクに保管した玄米を精米して出荷する玄米精米工程を行う玄米精米スイッチを設け、
籾摺精米スイッチと籾摺米選スイッチと玄米精米スイッチの入切情報により、籾摺機、精米機、米選機、及び第一切換弁から第四切換弁の切換えを駆動制御する制御部を設け、
籾摺精米工程時には、籾摺機で籾摺りされた玄米を精米機に案内するよう第一切換弁を精米機側に切換えると共に、精米機で精米処理された精白米を米選機に案内するよう第二切換弁を米選機側に切換え、さらに、米選機で米選処理された精白米を精白米タンクに案内するよう第三切換弁を精白米タンク側に切換えるよう制御し、
籾摺米選工程時には、籾摺機で籾摺りされた玄米を米選機に案内するよう第一切換弁を米選機側に切換えると共に、米選機で米選処理された玄米を玄米貯留タンクへ案内するよう第三切換弁を玄米貯留タンク側に切換えるよう制御し、
玄米精米工程時には、玄米を精米機に案内するよう第四切換弁を精米機側に切換え、精米機で精米処理された精白米を精白米貯留タンクに案内するよう第三切換弁を精白米貯留タンク側に切換えるよう制御することを特徴とする穀物調製設備とする。
【０００６】
【０００７】
請求項２記載の発明は、籾摺機には籾と玄米とを選別する選別装置を設け、該選別装置には取り出す玄米の量を調節する籾玄米仕切板を設け、籾玄米仕切板は米選機の計量機で計量した計量状態に応じて玄米の取り出し量を調節することを特徴とする請求項１記載の穀物調製設備とする。
【発明の効果】
【０００８】
本発明により、籾摺精米工程、籾摺米選工程、玄米精米工程それぞれを単一のスイッチで行えるため操作が簡単である。
また、第一切換弁から第四切換弁により、前記各工程を共通の籾摺機、精米機、米選機で行うことができる。
また、籾摺精米工程時に、精米機から排出された精白米は、米選機まで移送され、米選機で小米や砕米を選別されて精白米貯留タンクに貯留されて出荷することができる。
【０００９】
さらに、米選機の計量状態に応じて籾摺機の玄米の取り出し量を調節することができるので、安定した籾摺精米工程、籾摺米選工程を行うことができる。
【図面の簡単な説明】
【００１０】
【図１】籾摺精米設備を示す図
【図２】フローチャート
【図３】揺動選別板の斜視図
【図４】ブロック図
【発明を実施するための形態】
【００１１】
本発明の穀物調製設備について説明する。
収穫して乾燥した籾を籾摺りして玄米とする籾摺機１と、玄米を精米する精米機２と、小米を除去する米選機３と、玄米を貯留する玄米貯留タンク４と、精白米を貯留する精白米貯留タンク５を設けている。
【００１２】
籾摺機１の玄米取出用昇降機１０の排出口から玄米移送筒１１を設け、玄米移送筒１１には、米選機３の投入ホッパ１３又は精米機２の投入ホッパ１２に玄米を案内するための第一切換弁２０を設けている。
【００１３】
精米機２の精白米排出口１５から精白米移送筒１６を設け、精白米移送筒１６には精白米を精白米貯留タンク５又は米選機３の投入ホッパ１３に精白米を案内するための第二切換弁２１を設けている。
【００１４】
米選機３の選別米排出口１７から選別米移送筒１８を設け、選別米移送筒１８には選別米を精白米貯留タンク５又は玄米貯留タンク４に案内するための第三切換弁２２を設けている。
【００１５】
玄米貯留タンク４には玄米を排出する玄米排出バルブ２４を設け、精白米貯留タンク５には精白米を排出する精白米排出バルブ２５を設け、玄米貯留タンク４の排出口側には玄米を精米機２の投入ホッパ１２側に移送する第二玄米移送筒１９側か、玄米を出荷するかを切り換える第四切換弁２３を設けている。
【００１６】
この実施の形態の玄米貯留タンク４は、玄米を玄米昇降機２６で揚穀して貯留する構成とし、精白米貯留タンク５は、精白米を精白米昇降機２７で揚穀して貯留する構成である。
【００１７】
この実施の形態の玄米移送筒１１、精白米移送筒１６、選別米移送筒１８、第二玄米移送筒１９はコンベア（図示しない）を用いた移送装置を想定しているが、場合によっては米が流下する筒、あるいは空気搬送する筒いずれでも適宜選択しても良い。
【００１８】
籾摺機１について説明する。
籾を貯留する籾ホッパ３０と籾摺りする脱ぷ機３１、籾殻を風選する風選ファン３２、籾と玄米とを比重選別する多段の揺動選別板３４、揺動選別板３４で選別した玄米を取り出す玄米取出用昇降機１０とを備えている。この実施の形態の脱ぷ機３１はインペラ式による籾に衝撃を与えて脱ぷするタイプであるが、それぞれ逆回転する一対のロール間を籾が通過することで脱ぷするロール式の脱ぷ機でも良い。多段の揺動選別板３４のそれぞれの選別面は籾が分布する籾領域Ｍと、籾と玄米の混合米が分布する混合米領域Ｋと、玄米が分布する玄米領域Ｇとに分かれ、各領域の穀物は、揺動選別板３４の排出側に設ける玄米仕切板３５と籾仕切板３６とで分けて取り出される。
【００１９】
脱ぷ機３１と風選ファン３２と揺動選別板３４と玄米取出用昇降機１０は共通の籾摺機駆動モータ３７で駆動する構成としている。
混合米領域Ｋと玄米領域Ｇとを仕切る玄米仕切板は玄米仕切板駆動モータ３８と、玄米仕切板駆動モータ３８で回転する玄米仕切板移動軸３９の作用により揺動選別板３４の排出側を横移動することで、玄米領域Ｇから取り出す玄米量を調節している。すなわち、玄米仕切板３５を混合米領域Ｋ側に移動させるほど多くの量の玄米を取り出すことができ、混合米領域Ｋから離れるほど取り出せる玄米の量が少なくなる。そのため、玄米仕切板３５は、取り出す玄米に籾が混じらない程度に多くの玄米を取り出せる位置、すなわち、混合米領域Ｋと玄米領域Ｇとの境界線あたりに位置させるのである。最上段の揺動選別板３４の上面には、籾と玄米とを判別する光式の籾玄米判別センサ４０を設けている。この籾玄米判別センサ４０は混合米領域Ｋと玄米領域Ｇとの境界線を判別するためのセンサである。
【００２０】
米選機３について説明する。
縦長姿勢の機体内に、小米が通過する多数の選別孔ｆを形成する選別筒４１と、選別筒４１内にあって、米選機３の投入ホッパ１３に投入された穀物を上方に移送する移送螺旋４２を、それぞれ、米選機駆動モータ４３で縦軸芯周りに回転する構成としている。選別孔ｆを通過した小米は小米排出口４４から排出され、選別孔ｆを通過しないで移送螺旋４２で上部まで移送された整粒（選別米）は選別米排出口４５から排出される。
【００２１】
精米機２について説明する。
機体内の精白室５０内の精白ロール（図示せず）を設け、精白ロールを精米機駆動モータ５３で回転駆動させると共に、精白室５０の精白米排出口５１には精白度を設定する圧迫板５２を設け、圧迫板５２は圧迫板駆動モータ５３で駆動し、精白室５０内を所望の精白度にする公知の構成である。精米機２の投入ホッパ１２の玄米を精白室５０に供給すると、精白ロール（図示せず）と圧迫板の作用で玄米から糠を剥離して精白米にする。
【００２２】
次に、穀物調製設備の制御部の構成について説明する。
中央制御部６０は、籾摺機１の制御部６１と精米機２の制御部６２と米選機３の制御部６３、それぞれと相互に入出力する構成としている。また、中央制御部６０には籾摺精米スイッチ６４と籾摺米選スイッチ６５と玄米精米スイッチ６６のＯＮ・ＯＦＦ情報が入力されると共に、第一切換弁２０と第二切換弁２１と第三切換弁２２と第四切換弁２３への切換情報、及び精白米昇降機２７・玄米昇降機２６・精白米排出バルブ２５・玄米排出バルブ２４への駆動・停止情報が出力される。
【００２３】
籾摺機１の制御部６１は籾摺機１を単独で駆動・停止を行う籾摺機入切スイッチ６７による入り切り情報が入力されると共に、玄米仕切板モータ３８や籾摺機駆動モータ３７の駆動・停止情報が出力される。分搗きから無洗米までの所望の精白度を設定する精白度選択スイッチ６８の設定情報や精米機２を単独で駆動・停止を行う精米機入切スイッチ６９による入り切り情報が入力されると共に、圧迫板駆動モータ５３や精米機駆動モータ５２の駆動・停止情報が出力される。また、米選機３の制御部６３は米選機３を単独で駆動・停止を行う籾摺機入切スイッチ７０による入り切り情報や計量器７１の計量情報が入力されると共に、米選機駆動モータ４３の駆動・停止情報が出力される。
【００２４】
次に、穀物調製設備の各工程について説明する。
籾を精白米にして出荷する籾摺精米工程について説明する。
中央操作盤６０の籾摺精米スイッチ６４を操作すると、籾摺機１、精米機２、米選機３と、第一切換弁２０と第二切換弁２１と第三切換弁２２等がそれぞれ駆動を開始する。
【００２５】
籾摺機１の脱ぷ機３１で、投入ホッパ３０の籾が脱ぷされ、次いで、風選ファン３２で籾殻が除去され、次いで、揺動選別板３４で籾と玄米とに選別される。玄米仕切板３５で仕切られて取り出された玄米は玄米取出用昇降機１０で取り出される(Ｓ１)。
【００２６】
玄米取出用昇降機１０から玄米移送筒１１を移送される玄米は、第一切換弁２０により移送方向を精米機２の投入ホッパ１２側に案内される。精米機２の投入ホッパ１２内の玄米は順次、精白室５０で精白処理されて精白米排出口５１から排出される(Ｓ３)。
【００２７】
精白米排出口５１から精白米移送筒１６を移送される精白米は、米選機３まで移送され、米選機３で小米や砕米を選別される(Ｓ５)。そして選別米排出口１７を経て選別米移送筒１８を移送されるが、第三切換弁２２により精白米は精白米昇降機２７を経て精白米貯留タンク５に貯留される（Ｓ６）。そして、精白米バルブ２５で繰り出され、フレキシブルコンテナ（図示せず）等に袋詰めされて出荷される(Ｓ７)。
【００２８】
籾を籾摺処理して玄米保管又は玄米出荷する籾摺米選工程の場合について説明する。
中央操作盤６０の籾摺米選スイッチを操作すると、籾摺機１、米選機３と、第一切換弁２０と第三切換弁２１等がそれぞれ駆動を開始する。
【００２９】
籾摺機１の脱ぷ機３１で、投入ホッパ３０の籾が脱ぷ機３１で脱ぷされ、次いで、風選ファン３２で籾殻が除去され、次いで、揺動選別板３４で籾と玄米とに選別される。玄米仕切板３５で仕切られて取り出された玄米は玄米取出用昇降機１０で取り出される(Ｓ１)。
【００３０】
玄米取出用昇降機１０から玄米移送筒１１を移送される玄米は、第一切換弁２０により移送方向を米選機３側に案内され、米選機３の投入ホッパ１３に投入される。玄米は移送螺旋４２で上方へ移送されながら、小米が選別筒４１の選別孔ｆから通過し、整粒の玄米が選別米排出口１７から排出される(Ｓ９)。選別米排出口１７から排出された玄米は選別米移送筒１８を移送されるが、第三切換弁２２により玄米は玄米昇降機２６を経て玄米貯留タンク４に貯留される（Ｓ１０）。そして、玄米バルブ２４で繰り出され、第四切換弁２３で出荷部側に案内され（Ｓ１５）、フレキシブルコンテナ（図示せず）等に袋詰めされて出荷される（Ｓ１６）。あるいは、玄米バルブ２４を停止した状態で玄米貯留タンク４に保管しても良い。
【００３１】
玄米貯留タンク４に保管した玄米を精米して出荷する玄米精米工程について説明する。
中央操作盤６０の玄米精米スイッチ６６を操作すると、精米機２と第二切換弁２１と第四切換弁２３と精白米昇降機２７がそれぞれ駆動を開始する。
【００３２】
玄米貯留タンク４から排出された玄米は第二玄米案内筒１９を移送され、第四切換弁２３により精米機２の投入ホッパ１２側へ案内され、精米機２で精米され、精白米排出口５１から排出される（Ｓ１３）。精白米は精白米移送筒１６を移送され、第三切換弁２１により精白米昇降機２７に案内され、精白米貯留タンク５に貯留される。そして、精白米バルブ２５で繰り出されてフレキシブルコンテナ等の出荷用の容器に収容して出荷される（Ｓ７）。
【００３３】
籾摺精米工程及び籾摺米選工程において、米選機３の選別能率は米の性状によっては変動する。すなわち、小米の割合が多いと整粒の量がその分目減りする。そのため、米選機３に計量器７１を設け、米選機３の整粒量を計量し、該計量状態に応じて玄米仕切板３５を駆動し、籾摺機１から取り出す玄米量を調節するよう制御する構成としている。この構成により安定した籾摺米選工程を行うことができる。
【符号の説明】
【００３４】
１    籾摺機
２    精米機
３    米選機
４    玄米貯留タンク
５    精白米貯留タンク
２０    第一切換弁
２１    第二切換弁
２２    第三切換弁
２３    第四切換弁
３４    選別装置（揺動選別板）
３５    玄米仕切板
６０    制御部（中央制御部）
６４    籾摺精米スイッチ
６５    籾摺米選スイッチ
６６    玄米精米スイッチ
７１    計量器
【図１】
0005866925.tif 000002
【図２】
0005866925.tif 000003
【図３】
0005866925.tif 000004
【図４】
0005866925.tif 000005